(57)【特許請求の範囲】
【請求項１】
１個のサーマルヘッドを有するとともに、ロール紙ロールとカット紙用カセットとの何れか一方の使用が選択可能な画像記録装置において、プラテンローラー及びサーマルヘッドを挟んで並設された繰り出し側インクリボンロールと巻き取り側インクリボンロールの前記繰り出し側インクリボンロールと前記カット紙用カセット間に、前記ロール紙ロールを配設するとともに、更に、原稿トレイ、該原稿トレイから分離された原稿が搬送される原稿搬送部材、原稿を読み取る読取センサー及び該読取センサーにより読み取られた原稿が排出される原稿排出口が配設されていることを特徴とする画像記録装置。
【請求項２】
ロール紙ロールとサーマルヘッド間にカッター部材を配設したことを特徴とする請求項１に記載の画像記録装置。
【請求項３】
サーマルヘッドまでのカット紙とロール紙の搬送通路を、それぞれ、別個に形成したことを特徴とする請求項１又は請求項２に記載の画像記録装置。
【発明の詳細な説明】
【０００１】
【発明の属する技術分野】
本発明は、ファクシミリや複写機等に使用される画像記録装置に関するものである。
【０００２】
【従来の技術】
従来、原稿の長さに応じた記録が可能なロール紙を使用した画像記録装置と、用紙の整理が容易なカット紙を使用した画像記録装置が知られている。ロール紙を使用した場合には、原稿の長さに応じた記録が可能であるが、用紙が不揃いで整理が難しいという問題があり、また、カット紙の場合には、用紙の整理が容易であるが、原稿が短い場合に、用紙の無駄が多いという問題がある。
【０００３】
【発明が解決しようとする課題】
従来の画像記録装置は、ロール紙或いはカット紙のいずれか一方の記録用紙を使用するものであり、作業者が、必要に応じて、ロール紙或いはカット紙の何方か一方を選択することはできず、画像記録装置の利便性に問題があった。
【０００４】
本発明の目的は、上述した従来の画像記録装置が有する課題を解決することにある。
【０００５】
【課題を解決するための手段】
本発明は、上述した目的を達成するために、１個のサーマルヘッドを有するとともに、ロール紙ロールとカット紙用カセットとの何れか一方の使用が選択可能な画像記録装置において、第１には、プラテンローラー及びサーマルヘッドを挟んで並設された繰り出し側インクリボンロールと巻き取り側インクリボンロールの前記繰り出し側インクリボンロールと前記カット紙用カセット間に、前記ロール紙ロールを配設をするとともに、更に、原稿トレイ、該原稿トレイから分離された原稿が搬送される原稿搬送部材、原稿を読み取る読取センサー及び該読取センサーにより読み取られた原稿が排出される原稿排出口を配設したものであり、第２には、ロール紙ロールとサーマルヘッド間にカッター部材を配設したものであり、第３には、サーマルヘッドまでのカット紙とロール紙の搬送通路を、それぞれ、別個に形成したものである。
【０００６】
【実施例】
以下に、本発明の画像記録装置の一部断面を含む正面図である図１を用いて、本発明の実施例について説明するが、本発明の趣旨を越えない限り何ら、本実施例に限定されるものではない。
【０００７】
１は、筐体Ｃ内に、取り外し可能に挿着されたカット紙が収納されるカット紙用カセットであり、２は、カット紙用カセット１に収納されたカット紙を取り出すためのピックアップローラーである。
【０００８】
３は、所定の間隔を置いて、ピックアップローラー２に並設されたプラテンローラーであり、プラテンローラー３の上部には、１個のサーマルヘッド４が配設されている。５及び６は、プラテンローラー３及びサーマルヘッド４を挟んで並設された繰り出し側インクリボンロールと巻き取り側インクリボンロールである。繰り出し側インクリボンロール５から送られたインクリボン７は、適当なガイドピン８ａ〜８ｃに案内されるとともに、プラテンローラー３とサーマルヘッド４の間を通って、巻き取り側インクリボンロール６に巻き取られる。
【０００９】
９は、ピックアップローラー２とプラテンローラー３間に形成されたカット紙用通路であり、１０は、サーマルヘッド４により記録されたカット紙或いはロール紙を、記録紙排出口１１に向かって搬送する一対のローラー１０ａ、１０ｂからなる記録紙排出部材である。
【００１０】
カット紙用カセット１に収納されたカット紙は、ピックアップローラー２により一枚ずつ搬出され、カット紙用通路９を経て、プラテンローラー３とサーマルヘッド４間に挿入され、インクリボン７により熱転写印字された後、記録紙排出部材１０により記録紙排出口１１から搬出されるように構成されている。
【００１１】
１２は、繰り出し側インクリボンロール５とカット紙用カセット１間に配設された、ロール紙１３が巻回されたロール紙ロールであり、ロール紙ロール１２から繰り出されたロール紙１３の先端部は、ロール紙１３を把持するとともに、ロール紙１３を送り出す機能を有する一対のローラー１４ａ、１４ｂからなるロール紙送り部材１４に把持されている。また、１５は、ロール紙送り部材１４とサーマルヘッド４間に配設されたロール紙１３を切断するためのカッター部材であり、可動刃１５ａを回動させることにより、可動刃１５ａの刃先１５ａ’を、固定刃１５ｂに当接させることにより、ロール紙１３を切断するように構成されている。
【００１２】
ロール紙ロール１２からロール紙送り部材１４により送り出されたロール紙１３は、非作動状態のカッター部材１５の可動刃１５ａと固定刃１５ｂの間を通って、プラテンローラー３とサーマルヘッド４間に挿入され、インクリボン７により熱転写印字された後、カッター部材１５を作動させて、ロール紙１３を、所定の長さに切断する。印字が施され、切断されたロール紙１３は、記録紙排出部材１０により記録紙排出口１１から搬出されるように構成されている。
【００１３】
１６は、原稿トレイであり、原稿トレイ１６に載置された原稿は、原稿分離ローラー１７により、一枚一枚に分離された後、一対のローラー１８ａ、１８ｂからなる原稿搬送部材１８により搬送され、次いで、読取センサ−１９により読み取られ、原稿排出口２０から搬出されるように構成されている。なお、２１は、キー２１ａ等は配設された操作部である。
【００１４】
上述したように、カット紙用カセット１とロール紙ロール１２の両方を、画像記録装置に装備したので、カット紙とロール紙を、適宜、使い分けることができるので、画像記録装置の利便性が向上する。
【００１５】
また、サーマルヘッド４までのカット紙とロール紙の搬送通路を、それぞれ、別個に設けたので、一方の通路に紙詰まり等のトラブルが生じても、他方の通路を使用することができる。
【００１６】
更に、サーマルヘッド４の下流側（便宜的に、紙の搬送方向を、下流側と称する。）ではなく、ロール紙送り部材１４とサーマルヘッド４間に、ロール紙１３を切断するカッター部材１５を配設したものである。サーマルヘッド４の下流側にカッター部材１５を配設した場合には、印字が終了し、切断されたロール紙１３の先端部が、サーマルヘッド４の所に位置することになるので、このままの状態では、カット紙を使用することができない。そこで、例えば、ロール紙送り部材１４を逆転させて、切断されたロール紙１３の先端部を、ロール紙送り部材１４付近まで戻さなければならない。このように、サーマルヘッド４の下流側にカッター部材１５を配設すると、印字終了後に、いちいち、ロール紙１３を逆走させなければならず、作業時間が長くなるとともに、ロール紙送り部材１４を逆転させるための機構を設ける必要があり、画像記録装置の構造が複雑化するという問題がある。本発明においては、ロール紙送り部材１４とサーマルヘッド４間に、ロール紙１３を切断するカッター部材１５を配設したので、印字が終了し、切断されたロール紙１３の先端部が、サーマルヘッド４に掛かることがないので、ロール紙１３への印字及びロール紙１３の切断後、直ちに、カット紙を使用することができるとともに、ロール紙１３を逆走させる機構を設ける必要がないので、画像記録装置を簡素化、小型化できる。
【００１７】
【発明の効果】
本発明は、以上説明した構成を有しているので、以下に記載する効果を奏するものである。
【００１８】
ロール紙とカット紙との両方が装備したので、カット紙とロール紙を、適宜、使い分けることができるので、画像記録装置の利便性が向上する。
【００１９】
ロール紙ロールとサーマルヘッド間にカッター部材を配設したので、記録が終了し、切断されたロール紙の先端部が、サーマルヘッドに掛かることがないので、ロール紙への記録、ロール紙の切断後、直ちに、カット紙を使用することができるとともに、ロール紙を逆走させる機構を設ける必要がないので、画像記録装置を簡素化、小型化できる。
【００２０】
サーマルヘッドまでのカット紙とロール紙の搬送通路を、それぞれ、別個に形成したので、一方の通路に紙詰まり等のトラブルが生じても、他方の通路を使用することができる。
【図面の簡単な説明】
【図１】図１は本発明の画像記録装置の一部断面を含む正面図である。
【符号の説明】
１・・・・・・カット紙用カセット
４・・・・・・サーマルヘッド
５・・・・・・繰り出し側インクリボンロール
６・・・・・・巻き取り側インクリボンロール
１０・・・・・記録紙搬出部材
１２・・・・・ロール紙ロール
１３・・・・・ロール紙
１４・・・・・ロール紙送り部材
１５・・・・・カッター部材
【図１】
0003682542.tif 000002